(57)【特許請求の範囲】
【請求項１】
吸込口及び吹出口を備え前面パネル及び後板とからなるユニット本体内に、
熱交換器と、ファンとファンモータを軸方向に連結して配置すると共に、
前記ファンモータを、上面にドレンガイド部が形成されるファンモータカバーの下面側と、後板との間にスペースを構成させたファンモータ収納部に、ファンモータ固定具に収納して取り付けられる構成を備えた空気調和機の室内ユニットにおいて、
前記ファンモータ固定具は、
前記ファンモータの外周面全体を覆うと共に周面の幅より長い幅を有する通気用の開口部を有さない壁面で構成し、且つ内面側が内側に収納される前記ファンモータの周面と接しないよう若干の隙間が形成されるように前記ファンモータの外形より大きい寸法で構成されている周面カバー部と、
前記ファンモータの前記ファン側の側面を覆うファン側側面カバー部と、
前記周面カバー部の外側端縁より内側位置に設けられると共に表面に前記ファンモータの発熱を放出させるための側面カバー通気開口を形成している前記ファンモータの外側の側面を覆う外側側面カバー部と、
この外側側面カバー部の中央部分から外側に延出した円筒形状をなし、前記ファンモータの側面中央部に突出形成する前記ファンモータの外側軸受保持枠と、
この外側軸受保持枠の外周より外方に延出しこのファンモータ固定具を前記後板に固定するための後板固定片部とを備え、
前記ファンモータは、外周面に前記ファンモータ固定具の前記周面カバー部の背面側下部に配するリード線接続部を形成し、
このリード線接続部は、前記ファンモータ固定具の前記周面カバー部の背面側下部の壁面を垂直方向に延設し、収納された前記ファンモータの下面側との間に所定の空間を形成させたリード線接続部配置スペースに配置され、このリード線接続部配置スペースの外側面に、リード線が導出されるリード線導出口を形成したことを特徴とする空気調和機の室内ユニット。
【発明の詳細な説明】
【技術分野】
【０００１】
本発明は空気調和機の室内ユニットに係り、特にファンモータの取り付け構造を改良した空気調和機の室内ユニットに関する。
【背景技術】
【０００２】
一般に空気調和機の室内ユニットは、ユニット本体内の送風路に配置される室内熱交換器で、吸込口から吸い込んだ被空調空気を熱交換させた後、送風路のケーシング内に設置したクロスフローファンなどで構成する室内ファンにより、吹出口から空調した空気を吹き出すが、ファンの一側面にはファンモータが連結して配置されている。通常、ファンモータは、室内ユニット本体内の室内熱交換器側部で同じくユニット本体側部に配置される電気部品との間のスペースに配置されている。ファンモータに給電するためのリード線は、一端がファンモータの周面に設けた接続端子に接続し、他端側は電気部品箱の配線基板と接続されるように構成されている。しかしながら、ファンモータの配置される上部スペースは、室内熱交換器の端部配管および室外ユニットに導かれる補助接続配管が配設されているため、これら配管からの結露水が落下するおそれがあり、このため、ファンモータを配置した上部には、上部の配管から落下したドレンを熱交換器下部に配置したドレンパンに導くドレンガイドを配置していた。
【０００３】
また、専用のコード固定具を不要として、部品数を減らすことで、部品費の低減及び作業性の向上を図った空気調和機が提案されている（例えば、特許文献１参照）。
【０００４】
しかしながら、特許文献１に記載の空気調和機は、リード線接続部に結露水がかかることに対する防止についての配慮がなされていない。
【０００５】
また、梅雨時期など、室内の湿度の高い状態での運転時、或いは、空気調和機のクリーニングのため、熱交換器に高圧水を噴射させて洗浄した場合など、室内ユニット内部が湿度の高い状態となり、上記ファンモータ上面で室内熱交換器から滴下するドレンを受けるドレンガイドの裏面側に結露する場合がある。このような状態では、ファンモータにドレンが滴下することで、ファンモータの接点にドレンが流下し、万一、結露水がリード線接続部に滴下すると、トラッキング現象を起こして発火するおそれがある。このため、従来は、ファンモータの接点部分に水が滴下してもトラッキング現象が生じないように、必要以上のシール構造をとっていたため、ファンモータが高価なものとなっていた。
【発明の開示】
【発明が解決しようとする課題】
【０００６】
本発明は上述した事情を考慮してなされたもので、ファンモータの配線接続部の、水滴の滴下や、湿気の影響に対する保護が図れ、安全な空気調和機の室内ユニットを提供することを目的とする。
【課題を解決するための手段】
【０００７】
上述した目的を達成するため、本発明に係る空気調和機の室内ユニットは、吸込口及び吹出口を備え前面パネル及び後板とからなるユニット本体内に、熱交換器と、ファンとファンモータを軸方向に連結して配置すると共に、前記ファンモータを、上面にドレンガイド部が形成されるファンモータカバーの下面側と、後板との間にスペースを構成させたファンモータ収納部に、ファンモータ固定具に収納して取り付けられる構成を備えた空気調和機の室内ユニットにおいて、前記ファンモータ固定具は、前記ファンモータの外周面全体を覆うと共に周面の幅より長い幅を有する通気用の開口部を有さない壁面で構成し、且つ内面側が内側に収納される前記ファンモータの周面と接しないよう若干の隙間が形成されるように前記ファンモータの外形より大きい寸法で構成されている周面カバー部と、前記ファンモータの前記ファン側の側面を覆うファン側側面カバー部と、前記周面カバー部の外側端縁より内側位置に設けられると共に表面に前記ファンモータの発熱を放出させるための側面カバー通気開口を形成している前記ファンモータの外側の側面を覆う外側側面カバー部と、この外側側面カバー部の中央部分から外側に延出した円筒形状をなし、前記ファンモータの側面中央部に突出形成する前記ファンモータの外側軸受保持枠と、この外側軸受保持枠の外周より外方に延出しこのファンモータ固定具を前記後板に固定するための後板固定片部とを備え、前記ファンモータは、外周面に前記ファンモータ固定具の前記周面カバー部の背面側下部に配するリード線接続部を形成し、このリード線接続部は、前記ファンモータ固定具の前記周面カバー部の背面側下部の壁面を垂直方向に延設し、収納された前記ファンモータの下面側との間に所定の空間を形成させたリード線接続部配置スペースに配置され、このリード線接続部配置スペースの外側面に、リード線が導出されるリード線導出口を形成したことを特徴とする。
【発明の効果】
【０００８】
本発明に係る空気調和機の室内ユニットによれば、ファンモータの配線接続部の、水滴の滴下や、湿気の影響に対する保護が図れ、安全な空気調和機の室内ユニットを提供することができる。
【発明を実施するための最良の形態】
【０００９】
本発明の一実施形態に係る空気調和機の室内ユニットについて添付図面を参照して説明する。
【００１０】
図１は本発明の一実施形態に係る空気調和機の室内ユニットの一部を除去して示す側面図、また図２は室内ユニット２における要部の分解斜視図である。
【００１１】
図１、図２に示すように、本発明の一実施形態に係る空気調和機の室内ユニット１はユニット本体２を備え、このユニット本体２は前面パネル３及び後板４からなり、前面及び上面に上方に吸込口５及び前方下部に吹出口６が設けられる。
【００１２】
このユニット本体２内の吸込口５と吹出口６を連通する送風路７には、複数の放熱フィンとこれら放熱フィンを貫通する複数の伝熱管を備えた略逆Ｖ字状をなす室内熱交換器８が配され、さらに、この室内熱交換器８の下流側の後板４の中央部に形成するケーシング４ａにはクロスフローファン９が配設されている。また、室内熱交換器８の下部には、この室内熱交換器８から流下するドレン水を受ける、室外に排出させるためドレンパン１０が配される。
【００１３】
クロスフローファン９の一端側９ａは、クロスフローファン９を回転させるファンモータ１１の回転軸(図示せず)に連結されており、またクロスフローファン９の他端側９ｂは、ファン軸受１２に軸支され、このファン軸受１２をファン軸受取付部材１３に取付け、後板４の一端側に形成したファン軸受収納部４ｂに取り付けられる。
【００１４】
なお、クロスフローファン９の一端側９ａに接続されるファンモータ１１は、詳細を後述するファンモータカバー１４と、ファンモータ固定具１５によりカバーされて後板４の他端側に形成するファンモータ収納部４ｃに取り付けられる。
【００１５】
図３及び図４はファンモータ取付部分の斜視図、図５はファンモータ固定具の一部を可視化して示すファンモータ取付部分の斜視図である。
【００１６】
この図３〜図５に示すように、ファンモータ１１は、ファンモータ固定具１５により全体が覆われるとともに、その上面側をファンモータカバー１４で覆われる構成となっている。
【００１７】
ファンモータカバー１４は、上面側に、後板４の他端側に形成するファンモータ収納部４ｃに取り付けられた状態で、上面側に室内熱交換器８から室外ユニットに接続するために背面側に延設される接続配管(図示せず)が配置される構成となっており、このため、この接続配管から滴下する結露水を受け、ドレンパン１０に導くドレンガイド部１４ａが上面に形成されている。また、側面側のユニット本体２の側部に配置される電気部品箱(図示せず)に当接する部分には、ドレンガイド部１４ａに滴下するドレンが電気部品箱側に飛散しないようガードする防水壁１４ｂが形成され、さらに、ドレンガイド部１４ａの裏側の下面側には、ファンモータ１１が収納されるスペースを構成させたファンモータ収納部４ｃが形成されている。
【００１８】
このファンモータ収納部４ｃに収納されるファンモータ１１は、ファンモータ１１の外面全体を覆うファンモータ固定具１５に収納される。
【００１９】
このファンモータ固定具１５は、ファンモータ１１の上部側を覆う上部固定具１６と、下部側を覆う下部固定具１７との一対の部品でなり、この上部固定具１６と下部固定具１７をファンモータ１１を収納した状態で接合させ、接合面に形成する係止部材で結合させるように構成する。
【００２０】
上部固定具１６と、下部固定具１７は、夫々、ファンモータ１１の外周面全体を結露水がかかるのを防ぐように覆う周面カバー部１６ａ、１７ａと、ファンモータ１１の外側の側面を覆う外側側面カバー部１６ｂ、１７ｂと、ファンモータ１１のファン側の側面を覆うファン側側面カバー部１６ｃ、１７ｃ、ファンモータ１１の外側モータ軸受部１１ｃを保持する外側軸受保持枠１６ｄ、１７ｄと、この外側軸受保持枠１６ｄ、１７ｄの外周より外方に延出しこのファンモータ固定具１５を前記後板４に固定するためのファンモータ固定具後板固定片部１６ｅ、１７ｅとを備えている。
【００２１】
次に、上部固定具１６と、下部固定具１７を結合させた状態で、各部品の構造を説明する。
【００２２】
周面カバー部１６ａ、１７ａは、万が一上方から結露水が滴下したとしても、水滴がファンモータ１１の周面に落下しないようファンモータ１１の周面の幅より長い幅を有する通気用の開口部を有さない壁面で構成し、且つ内面側が内側に収納されるファンモータの周面と接しないよう若干の隙間が形成されるようにファンモータ１１の外形より大きい寸法で構成されている。
【００２３】
前記外側側面カバー部１６ｂ、１７ｂは、周面カバー部１６ａ、１７ａの外側端縁より内側位置に設けられると共に表面にファンモータ１１の発熱を放出させるための側面カバー通気開口１６ｂ１、１７ｂ１を形成している。なお、側面カバー通気開口１６ｂ１、１７ｂ１には、周縁に外方に突出するフランジを形成することで、外側側面カバー部１６ｂ、１７ｂ外表面に結露が付着しても、この側面カバー通気開口１６ｂ１、１７ｂ１からファンモータ１１側へ水滴が流入することを阻止する構成を備えている。
【００２４】
ファン側側面カバー部１６ｃ、１７ｃは、外側側面カバー部１６ｂ、１７ｂに設けられるファンモータ１１の発熱を放出させるための通気開口はない壁面形状で、ファンモータ１１の側面中央部に突出形成するファン側モータ軸受部１１ｄをファン側軸受部防振ゴム１１ｆを介して保持する凹状の保持部(図示せず)を備えると共に、中心部から突出するファンモータ１１の駆動軸(図示せず)を貫通させるための貫通孔(図示せず)を備えている。
【００２５】
前記外側軸受保持枠１６ｄ、１７ｄは、外側側面カバー部１６ｂ、１７ｂの中央部分から外側に延出した円筒形状をなし、ファンモータ１１の側面中央部に突出形成する外側モータ軸受部１１ｃを外側軸受部防振ゴム１１ｅを介して保持するように構成する。
【００２６】
したがって、ファンモータ１１は、ファン側モータ軸受部１１ｄと外側モータ軸受部１１ｃにより、ファン側側面カバー部１６ｃ、１７ｃの凹状の保持部と、外側軸受保持枠１６ｄ、１７ｄとでファンモータ固定具１５内に保持される。
【００２７】
ファンモータ固定具後板固定片部１６ｅ、１６ｅ、１７ｅ、１７ｅは、外側軸受保持枠１６ｄ、１７ｄの外周面より前後方向外方に夫々延出て構成し、夫々の先端部に後板４への固定用ねじ孔１６ｅ１、１７ｅ１を形成する。
【００２８】
また、ファンモータ１１の周面には、ファンモータ１１への電源を供給するためリード線１１ｂの接続を行なうリード線接続部１１ａを形成しており、ファンモータ１１をファンモータ固定具１５に収容された際、このリード線接続部１１ａは、ファンモータ固定具１５の下部固定具１７の周面カバー部１７ａ背面側下部に形成したリード線接続部配置スペース１７ｆに配置される。リード線接続部配置スペース１７ｆは、周面カバー部１７ａの背面側下部の壁面を垂直方向に延設し、収納されたファンモータ１１の下面側との間に所定の空間を形成させたものである。また、このリード線接続部配置スペース１７ｆの外側面には、開口となったリード線導出口１７ｇが形成され、このリード線導出口１７ｇからリード線接続部１１ａに接続されたリード線１１ｂが導出される。
【００２９】
以上のように構成するファンモータ固定具１５を備えることで、ファンモータ１１はファンモータ固定具１５を介してユニット本体２の後板４に形成するファンモータ収納部４ｃに収納し、ファンモータ固定具後板固定片部１６ｅ、１６ｅ、１７ｅ、１７ｅに形成したねじ孔１６ｅ１、１７ｅ１により、後板４にねじ固定することで、取り付けられる。
【００３０】
従って、ファンモータ固定具１５は防水と取付の２機能を備える。
【００３１】
さらに、ファンモータ固定具１５上面には、ファンモータカバー１４が配置されることで、ファンモータ１１への防水への確実性を増すことが出来る。
【００３２】
上記ファンモータ１１の取り付け構造を有する本実施形態の空気調和機の室内ユニットは、冷房運転時、室内熱交換器８の端部及び室外ユニットへの接続配管などの構成部材に結露が発生しても、ファンモータカバー１４により、一次的に防水される。
【００３３】
また、ファンモータ固定具１５により、ファンモータカバー１４裏面に発生した結露水がリード線接続部１１ａに滴下するのを防ぎ、トラッキング現象を起こすことがなく、発火のおそれもなく安全である。
【００３４】
さらに、ファンモータ固定具１５は防水と取付の２機能を持ち、ファンモータ固定具１５を用いて、ファンモータ１１のユニット本体２への取り付けを行うので、取付構造と取付作業が容易になり作業性に優れる。
【００３５】
さらに、リード線接続部１１ａが、ユニット本体２の背面側下部に配されるので、上部からの結露水滴下と、前面側のドレンパン１０内の結露水からリード線接続部１１ａを遠ざけることができ、リード線接続部１１ａの湿気を低くすることができ、確実にトラッキング現象を防止できる。
【００３６】
本実施形態の空気調和機の室内ユニットによれば、ファンモータの配線接続部の、水滴の滴下や、湿気の影響に対する保護が図れ、安全な空気調和機の室内ユニットが実現する。
【図面の簡単な説明】
【００３７】
【図１】本発明の一実施形態に係る空気調和機の室内ユニットの一部を除去して示す側面図。
【図２】本発明の一実施形態に係る空気調和機の室内ユニットにおける要部の分解斜視図。
【図３】本発明の一実施形態に係る空気調和機の室内ユニットにおけるファンモータ取付部分の斜視図。
【図４】本発明の一実施形態に係る空気調和機の室内ユニットにおけるファンモータ固定具に装着されたファンモータ斜視図。
【図５】本発明の一実施形態に係る空気調和機の室内ユニットにおけるファンモータ固定具に装着されたファンモータのファンモータ固定具の一部を可視化して示す斜視図。
【符号の説明】
【００３８】
１…空気調和機の室内ユニット、２…ユニット本体、３…前面パネル、４…後板、４ａ…ケーシング、４ｂ…ファン軸受収納部、４ｃ…ファンモータ収納部、５…吸込口、６…吹出口、７…送風路、８…室内熱交換器、９…クロスフローファン、９ａ…一端側、９ｂ…他端側、１０…ドレンパン、１１…ファンモータ、１１ａ…リード線接続部、１１ｂ…リード線、１１ｃ…外側モータ軸受部、１１ｄ…ファン側モータ軸受部、１１ｅ…外側軸受部防振ゴム、１１ｆ…ファン側軸受部防振ゴム、１２…ファン軸受、１３…ファン軸受取付部材、１４…ファンモータカバー、１４ａ…ドレンガイド部、１４ｂ…防水壁、１５…ファンモータ固定具、１６…上部固定具、１７…下部固定具、１６ａ・１７ａ…周面カバー部、１６ｂ・１７ｂ…外側側面カバー部、１６ｂ１・１７ｂ１…側面カバー通気開口、１６ｃ・１７ｃ…ファン側側面カバー部、１６ｄ・１７ｄ…外側軸受保持枠、１６ｅ・１７ｅ…ファンモータ固定具後板固定片部、１６ｅ１・１７ｅ１…ねじ孔、１７ｆ…リード線接続部配置スペース、１７ｇ…リード線導出口。
【図１】
0005139790.tif 000002
【図２】
0005139790.tif 000003
【図３】
0005139790.tif 000004
【図４】
0005139790.tif 000005
【図５】
0005139790.tif 000006